(57)【要約】      （修正有）【課題】ドアの開閉を遠隔制御する場合、該当ボタンを確認する必要がなく、隣り合うボタンを押すことによる誤操作がなくなる携帯通信機を提供する。【解決手段】タッチパネルやテンキーによるタッチのジェスチャー動作の操作を行うことにより、その操作の位置および操作の方向などの操作信号を送る操作部１１からの信号と、ドア制御に対応したジェスチャーデータを予め格納しておく記憶部１２からデータとを制御部１３で比較し、ジェスチャー動作に応じた操作信号とジェスチャーデータが一致すれば、制御部１３は対応したドア制御信号を通信制御部１４に送り、通信制御部１４はドア制御信号を無線信号に変換してドア側受信機２に送信することで、ジェスチャー動作でドアの開錠、施錠を行えるようにした。【選択図】図１
2014088730.tif 000002
【特許請求の範囲】
【請求項１】
タッチによるジェスチャー動作の操作を行うことにより、その操作の位置および操作の方向などの操作信号を送る操作部、ドア制御に対応したジェスチャーデータを予め格納しておく記憶部、前記操作部からの操作信号と前記記憶部のジェスチャーデータを比較し、ジェスチャー動作に応じた操作信号とジェスチャーデータが一致すれば、対応したドア制御信号を送る制御部、前記制御部からのドア制御信号を無線信号に変換し、ドア側受信機に送信する通信制御部を備えた携帯通信機。
【請求項２】
前記操作部からの操作信号と前記記憶部のジェスチャーデータを比較し、ジェスチャー動作に応じた操作信号とジェスチャーデータが一致すれば、前記ドア制御信号に対応した音声信号を出力するスピーカーを備えた請求項１に記載の携帯通信機。
【請求項３】
前記操作部はタッチパネルを有し、前記ジェスチャー動作は前記タッチパネルの上面を指で左から右へスライド動作を行うことでドアの開錠、右から左へスライド動作を行うことでドアの施錠を行うようにした請求項１または請求項２に記載の携帯通信機。
【請求項４】
前記操作部はタッチパネルを有し、前記ジェスチャー動作は前記タッチパネルの上面を指で時計回りの円弧状にスライド動作を行うことでドアの開錠、反時計回りの円弧状にスライド動作を行うことでドアの施錠を行うようにした請求項１または請求項２に記載の携帯通信機。
【請求項５】
前記操作部は縦横に配列されたテンキーを有し、前記ジェスチャー動作は前記テンキーを左から右へ連続して押す動作を行うことでドアの開錠、右から左へ連続して押す動作を行うことでドアの施錠を行うようにした請求項１または請求項２に記載の携帯通信機。
【請求項６】
前記操作部は縦横に配列されたテンキーを有し、前記ジェスチャー動作は前記テンキーを時計回りの円弧状に連続して押す動作を行うことでドアの開錠、反時計回りの円弧状に連続して押す動作を行うことでドアの施錠を行うようにした請求項１または請求項２に記載の携帯通信機。
【請求項７】
前記請求項１乃至請求項６のいずれか１項に記載の携帯通信機と、車両に搭載されたドア側受信機とで構成され、前記ドア側受信機は前記携帯通信機から送信されたドア制御信号を受信および復調して、車両ドアの開錠および施錠を行うようにしたドア制御装置。
【請求項８】
前記請求項１乃至請求項６のいずれか１項に記載の携帯通信機と、住宅に設けられたドア側受信機とで構成され、前記ドア側受信機は前記携帯通信機から送信されたドア制御信号を受信および復調して、住宅用ドアの開錠および施錠を行うようにしたドア制御装置。
【発明の詳細な説明】
【技術分野】
【０００１】
この発明は、ドア制御を遠隔的に行う携帯通信機およびドア制御装置に関するもので、特にドア制御情報を保持している携帯通信機によるジェスチャー操作でドアの開錠および施錠を行う携帯通信機と、それを利用したドア制御装置に関するものである。
【背景技術】
【０００２】
近年、ＩＣやチップ部品の小型化・高性能化により様々なドア制御が電子化されている。例えば、車両のドア制御では、従来のメカニカルなキーによる認証確認の代わりに、車両情報を保持している携帯通信機からの無線信号を車載機において受信して認証確認を行うリモートキーレスシステムが普及している。住宅のドア制御についても、同様な構成にて従来のメカニカルなキーから電子化されている。
【０００３】
車両でのリモートキーレスシステムとして、車載機と携帯通信機の間で識別データの通信による連携を行うことにより、携帯通信機の操作スイッチを操作することで送信される無線信号により、スイッチ情報に応じたドア制御動作を行う方式が開示されている（特許文献１参照）。
また、ドア制御とは関係ないが、テレビ受像機の操作をリモコンによって行う場合、リモコンに円形のボタンと、ボタン周囲にドーナツ状に配置されたタッチパネルを設け、タッチパネルを指で触れながら時計回りまたは半時計回りにスライドさせたり、十字キーのように上下左右を触ることにより、タッチパネル操作に対応して各種の機能選択項目を選択させたり、番組予約画面の番組を選択して、選択したものをボタン操作により確定するようにしたものが開示されている（特許文献２参照）。
【先行技術文献】
【特許文献】
【０００４】
【特許文献１】特許第４３９１５４６号公報
【特許文献２】特開２００６−２７９１３７号公報
【発明の概要】
【発明が解決しようとする課題】
【０００５】
しかしながら、特許文献１に記載の携帯通信機では、スイッチを押す際に該当ボタンを確認しながら操作するという煩雑さがあるという課題があった。また、隣り合うボタンを押すことで誤操作をしてしまうという課題があった。携帯通信機としてスマートフォンを用いた場合でも、タッチパネルに表示されたボタンをタッチすることで操作するため、同様の課題が生じる。
また、特許文献２に記載のリモコンは、テレビの表示部に表示された表示画面の各種機能項目や番組内容を、タッチパネルを指で触れながらスライドさせる、または左右上下を触ってカーソルを移動して機能項目や番組内容を選択するのみの動作を行うに過ぎない。したがって、これをドア制御に応用するには、まだ解決しなければならない種々の課題が存在する。
【０００６】
この発明は、上記のような課題を解決するためになされたものであり、携帯通信機のタッチパネルまたはテンキーなどのタッチによるジェスチャー動作で、ドアの開閉制御が行えるようにした携帯通信機およびドア制御装置を提供することを目的とするものである。
【課題を解決するための手段】
【０００７】
この発明の携帯通信機は、タッチによるジェスチャー動作の操作を行うことにより、その操作の位置および操作の方向などの操作信号を送る操作部、ドア制御に対応したジェスチャーデータを予め格納しておく記憶部、操作部からの操作信号と記憶部のジェスチャーデータを比較し、ジェスチャー動作に応じた操作信号とジェスチャーデータが一致すれば、対応したドア制御信号を送る制御部、制御部からのドア制御信号を無線信号に変換し、ドア側受信機に送信する通信制御部を備えたものである。
【０００８】
この発明のドア制御装置は、携帯通信機とドア側受信機とで構成され、ドア側受信機は携帯通信機から送信されたドア制御信号を受信および復調して、車両用または住宅用のドアの開錠および施錠を行うようにしたものである。
【発明の効果】
【０００９】
この発明によれば、タッチによるジェスチャー動作の操作にてドア制御を行うため、該当ボタンを確認することが必要なくなる。また、ジェスチャーにて操作を行うため、隣り合うボタンを押すことが無くなり、誤操作がなくなる携帯通信機およびドア制御装置を実現できる。
【図面の簡単な説明】
【００１０】
【図１】この発明の実施の形態１の携帯通信機とドア側受信機からなるドア制御装置を示すシステム構成図である。
【図２】この発明の実施の形態１の携帯通信機としてのスマートフォンを示す斜視図である。
【図３】この発明の実施の形態１の携帯通信機の操作部がタッチパネルの場合の構成図である。
【図４】この発明の実施の形態１の携帯通信機におけるジェスチャー動作対応表を示す図である。
【図５】この発明の実施の形態２の携帯通信機におけるジェスチャー動作対応表を示す図である。
【図６】この発明の実施の形態３の携帯通信機としてのテンキーを有した携帯電話機を示す図である。
【図７】この発明の実施の形態３の携帯通信機の操作部がテンキーの場合の構成図である。
【図８】この発明の実施の形態４の携帯通信機としてのテンキーを有した携帯電話機を示す図である。
【図９】この発明の実施の形態５の携帯通信機を示すシステム構成図である。
【図１０】この発明の実施の形態６の携帯通信機におけるジェスチャー動作対応表を示す図である。
【発明を実施するための形態】
【００１１】
実施の形態１．
以下、この発明の実施の形態１における携帯通信機およびドア制御装置を図１〜図４に基づいて説明する。
図１は携帯通信機とドア側受信機を備えたドア制御装置を示すシステム構成図で、図１（ａ）が携帯通信機の構成図、図１（ｂ）がドア側受信機の構成図を示す。
【００１２】
図１（ａ）において、携帯通信機１は、操作部１１、記憶部１２、制御部１３、通信制御部１４で構成される。また図１（ｂ）において、ドア側受信機２は、通信制御部２１、記憶部２２、制御部２３、ドア制御部２４で構成される。このドア側受信機２はドア制御装置が車両に適用される場合は、車両側に搭載されている。
携帯通信機１が、例えば図２に示すようなスマートフォンの場合は、操作部１１は図３に示すようにタッチパネル１１ａとタッチパネル制御回路１１ｂで構成される。使用者は、図２に記載のようにタッチパネル１１ａの上面を指でタッチしてスライドすることで、ジェスチャー動作の操作を行う。
【００１３】
このタッチパネル１１ａは、任意の位置を指示するためのポインティングデバイスである。例えば、この実施例のタッチパネル１１ａは、指などの物体が表面に接近して生じた電極間の静電容量の変化を検出する静電容量方式のタッチパネルであって、たとえば１本または複数本の指がタッチパネル１１ａに触れたことを検出可能である。また、タッチパネル１１ａは、その表面（上面）を指でタッチしたり、スライドしたりすることにより操作されると、その操作を検出する。
【００１４】
具体的には、図３に記載のように、タッチ検出部として機能するタッチパネル制御回路１１ｂは、タッチパネル１１ａに指が触れると（タッチすると）、その指の位置を特定し、操作された位置を示す座標のデータ（座標データ）を検出する。この位置検出は一定時間間隔で行なわれ、それによって操作の方向も検出される。これら検出信号は操作信号として逐次制御部１３へ送られる。
【００１５】
記憶部１２は、図４に記載のように、ドア制御に対応したジェスチャーデータが予め格納されている。例えば、ドア開錠のジェスチャーデータは左から右への矢印が、ドア施錠のジェスチャーデータは、右から左への矢印が記憶されている。
制御部１３は、操作部１１からの操作信号と、記憶部１２に格納されているジェスチャーデータを比較し、ジェスチャー動作に応じた操作信号とジェスチャーデータが一致すれば、ドア制御に対応したドア制御信号（開錠または施錠）を通信制御部１４へ送る。
【００１６】
通信制御部１４は、制御部１３からのドア制御信号を変調し、アンテナを介して無線信号としてドア側受信機２側へ送信する。変調方式としては、例えば、振幅変調、周波数変調、位相変調方式等でもよい。ドア制御信号は、暗号化、符号化を行った後に、データを変調しても構わない。
こうして通信制御部１４は、図４に示すように、ドア開錠の場合はＬＬＨという無線信号を、またドア施錠の場合はＬＬＬという無線信号をドア側受信機２に送信する。
【００１７】
以上の構成において、使用者は、図２に示すようにタッチパネル１１ａの上面を指でタッチしてスライドするジェスチャー動作によってドア制御を行なう。つまり、ドア開錠のジェスチャー動作は、図４の記憶部に記載のデータと同じ左から右へスライド動作を行う。ドア施錠のジェスチャー動作は、右から左へのスライド動作を行う。こうすることで、操作部１１は操作の位置およびスライド操作の方向などの操作信号を制御部１３へ送る。
【００１８】
制御部１３では、操作部１１から送られた操作信号と、記憶部１２に格納されているジェスチャーデータを比較し、記憶部１２に一致したジェスチャーが存在した場合は、ジェスチャー動作に対応したドア制御信号（開錠または施錠）を通信制御部１４へ送る。
通信制御部１４は、制御部１３からのドア制御信号を変調し、アンテナを介して無線信号としてドア側受信機２に送信する。
【００１９】
一方、ドア側受信機２では、図１（ｂ）に示すように、携帯通信機１から送信された無線信号をアンテナで受信して通信制御部２１に入力し、通信制御部２１では予め決められた復調方式にてドア制御信号が復調され、制御部２３へ送られる。なお、ドア制御信号が暗号化、符号化されていた場合には、暗号化、符号化を復号してから制御部２３へ送られる。
【００２０】
記憶部２２は、例えば、図４に示す携帯通信機１の記憶部１２のデータと同じように、予めドア制御に対応したジェスチャーデータが格納されている。即ち、ドア開錠のジェスチャーデータは左から右への矢印が、ドア施錠のジェスチャーデータは、右から左への矢印が記憶されている。
制御部２３では、通信制御部２１からのドア制御信号と、記憶部２２に格納されているジェスチャーデータを比較し、ドア制御信号とジェスチャーデータが一致すれば、ドア制御に対応したドア制御信号（開錠または施錠）をドア制御部２４へ送る。
ドア制御部２４は、制御部２３からのドア制御信号に応じて車両用のドアの開錠または施錠を行う。
【００２１】
以上のように実施の形態１の携帯通信機およびドア制御装置によれば、携帯通信機１のタッチパネル１１ａを指でタッチして、ドアの開閉と同じジェスチャー動作を行うことにより、ドアの遠隔操作を行なうことができる。このようにジェスチャー動作にて、所望の機能を指示できるようにしたので、操作性を向上させることができ、かつ、誤操作が無い携帯通信機が実現できる。
【００２２】
実施の形態２．
次に、この発明の実施の形態２における携帯通信機およびドア制御装置を図５に基づいて説明する。
この実施の形態２に係る携帯通信機、ドア側受信機の構成は実施の形態１の図１〜図４と同様のため省略する。
【００２３】
実施の形態２の携帯通信機１の記憶部１２およびドア側受信機の記憶部２２には、図５に示すように、予めドア制御に対応したジェスチャーデータが格納されている。実施の形態１の発明では、ドア開錠のジェスチャーデータは左から右への矢印が、ドア施錠のジェスチャーデータは、右から左への矢印が記憶されていた。実施の形態２の発明の記憶部１２、２２には、ドア開錠のジェスチャーデータは時計回りの矢印が、ドア施錠のジェスチャーデータは、反時計回りの矢印が記憶されている。
【００２４】
使用者は、実施の形態１と同様にタッチパネル１１ａの上面を指でタッチしてスライドするジェスチャー動作によってドア制御を行なう。
つまり、ドア開錠のジェスチャー動作は、図５の記憶部に記載のデータと同じタッチパネルの上面を指で時計回りの円弧状にスライド動作を行う。ドア施錠のジェスチャー動作は、反時計回りの円弧状にスライド動作を行う。こうすることで、操作部１１は操作の位置およびスライド操作の方向などの操作信号を制御部１３へ送る。
なお、制御部１３および通信制御部１４でのドア制御側の動作は実施の形態１と同じなのでその説明は省略する。
【００２５】
実施の形態２における携帯通信機では、従来用いていたメカニカルなキーでの動作と同じジェスチャー動作にすることで、使い勝手を損なわず、かつ、誤操作が無い携帯通信機が実現できる。
【００２６】
実施の形態３．
次に、この発明の実施の形態３における携帯通信機およびドア制御装置を図６、図７に基づいて説明する。
この実施の形態３に係る携帯通信機、ドア側受信機の構成は実施の形態１の図１と同様のため省略する。
【００２７】
実施の形態１および２の発明は、操作部１１としてスマートフォンのタッチパネル１１ａを使用したが、実施の形態３の発明は、図６に示すように操作部１１として携帯電話機のテンキー１１Ａを使用したものである。テンキー１１Ａは０〜９までの数字キーが縦横に配列された構成になっている。その場合、操作部１１は図７に示すようにテンキー１１Ａとテンキー制御回路１１Ｂで構成される。
【００２８】
使用者は、テンキー１１Ａを指でタッチして異なる数字キーを連続して押すジェスチャー動作を行う。
記憶部１２には実施の形態１の図４と同じように予めドア制御に対応したジェスチャーデータが格納されている。即ち、ドア開錠のジェスチャーデータは左から右への矢印が、ドア施錠のジェスチャーデータは右から左への矢印が記憶されている。
【００２９】
ドア開錠のジェスチャー動作は、図６に矢印で示すように左から右へ連続してキーボタンを押す。例えば１→２→３や、４→５→６のように順番に押す。ドア施錠のジェスチャー動作は、右から左へ連続してキーボタンを押す。例えば３→２→１や、６→５→４のように順番に押す。このような操作で、操作部１１は実施の形態１と同様に、操作の位置、スライド操作の方向などの操作信号を制御部１３へ送る。
なお、制御部１３および通信制御部１４でのドア制御側の動作は実施の形態１と同じなのでその説明は省略する。
【００３０】
以上のように携帯電話機のテンキー操作の場合でも、携帯通信機１のテンキーを指で左から右へまたは右から左へ連続して押すような、ドアの開閉と同じジェスチャー動作を行うことにより、ドアの遠隔操作を行なうことができる。このようにジェスチャー動作にて所望の機能を指示できるようにしたので、操作性を向上させることができ、かつ、誤操作が無い携帯通信機が実現できる。
【００３１】
実施の形態４．
次に、この発明の実施の形態４における携帯通信機およびドア制御装置を図８に基づいて説明する。
この実施の形態４に係る携帯通信機、ドア側受信機の構成は実施の形態１の図１と同様のため省略する。
【００３２】
実施の形態４の発明は、実施の形態３の発明の発明と同様に操作部１１として携帯電話機の縦横に配列されたテンキー１１Ａを用いたものであるが、テンキー１１Ａを指でタッチして連続して押すジェスチャー動作が実施の形態３と異なる。
実施の形態４の記憶部１２には実施の形態２の図５と同じように、予めドア制御に対応して、ドア開錠のジェスチャーデータは時計回りの矢印が、ドア施錠のジェスチャーデータは、反時計回りの矢印が記憶されている。
【００３３】
使用者のドア開錠のジェスチャー動作は、図８に矢印で示すように時計回りの円弧状になるように、連続してキーボタンを押す。例えば７→４→１→２→３→６→９や、２→３→６→９→８や、５→８→７→４のように順番に押す。
ドア施錠のジェスチャーは、反時計回りの円弧状になるように、連続してキーボタンを押す。例えば９→６→３→２→１→４→７や、２→１→４→７→８や、５→８→９→６のように順番に押す。
【００３４】
このように携帯電話機のテンキー操作の場合でも、従来用いていたメカニカルなキーでの動作と同じジェスチャー動作にすることで、使い勝手を損なわず、かつ、誤操作が無い携帯通信機が実現できる。
【００３５】
実施の形態５．
次に、この発明の実施の形態５における携帯通信機およびドア制御装置を図９に基づいて説明する。
図９は実施の形態５に係る携帯通信機の構成図を示し、ドア側受信機は実施の形態１の図１（ｂ）と同様のため省略する。
【００３６】
実施の形態１〜４の発明では使用者がタッチパネルをスライドするジェスチャー動作や、テンキーの違うボタンを連続して押すジェスチャー動作により、ドアの遠隔操作ができる形態について述べた。しかしながら、使用者はジェスチャー動作による操作が確実に実行されたか分からないという課題が生じる。
そこで、実施の形態５に係る携帯通信機では、使用者に音声で操作が実行されたか識別できるようにしたものである。
【００３７】
図９に示される記憶部１２では、例えば図４または図５に示すように、予めドア制御用のジェスチャーデータが格納されていると共に、制御名称の音声信号も格納されている。例えば、ドアの開錠制御では「ドアが開きます」、ドアの施錠制御では「ドアが閉じます」というディジタル音声信号が格納されている。
【００３８】
制御部１３では、操作部１１からの操作信号と、記憶部１２に格納されているジェスチャーデータを比較し、記憶部１２に操作と一致したジェスチャーデータが存在した場合、ドア制御に対応したドア制御信号（開錠または施錠）を通信制御部１４に送ると共に、ドア制御信号に対応した音声信号をＤ／Ａ変換器１５へ送る。
Ｄ／Ａ変換器１５はディジタル音声信号をアナログ音声信号に変換（復号）し、変換された音声信号はアンプを介してスピーカー１６に送られる。これにより、ドア制御信号（開錠または施錠）に対応するアナログ音声信号の声がスピーカー１６から出力される。
【００３９】
その他の構成は実施の形態１〜４と同じなので、同じ符号を付してその説明は省略する。また上記以外のドア制御側の動作も実施の形態１〜４と同じなので、その説明は省略する。
これにより、実施の形態１〜４で記載の効果に追加して、タッチパネルや該当ボタンを確認することなく、音声により操作が有効か確認でき、誤操作がなくなる効果が期待できる。
【００４０】
実施の形態６．
次に、この発明の実施の形態６における携帯通信機およびドア制御装置を図１０に基づいて説明する。
実施の形態６に係る携帯通信機およびドア側受信機の構成は実施の形態１の図１と同様のため省略する。
【００４１】
実施の形態６の携帯通信機は、実施の形態１〜４で説明したジェスチャー動作と異なるジェスチャー動作でドア制御（開錠および施錠）を行うようにしたものである。
車両によっては全てのドアがスライドドアになっているものもある。図１０はそれに対応したジェスチャー動作対応表の例を示す図である。
実施の形態６の携帯通信機１の記憶部１２およびドア側受信機の記憶部２２には、図１０に示すように、予めドア制御に対応したジェスチャーデータが格納されている。
【００４２】
車両右側スライドドアの開錠の場合、ジェスチャーデータは左上から右方向に行き、そのまま下方向に向かう矢印が、車両右側スライドドアの施錠の場合、ジェスチャーデータは右下から上方向に行き、そのまま左方向に向かう矢印が記憶されている。
また、車両左側スライドドアの開錠の場合、ジェスチャーデータは右上から左方向に行き、そのまま下方向に向かう矢印が、車両左側スライドドアの施錠の場合、左下から上方向に行き、そのまま右方向に向かう矢印が記憶されている。
なお、スライドドアとは異なるが車両トランクのドア開錠の場合、ジェスチャーデータは下から上方向に向かう矢印が、車両トランクのドア施錠の場合、ジェスチャーデータは上から下方向に向かう矢印が記憶されている。
【００４３】
携帯通信機１の操作部１１がタッチパネル１１ａの場合、車両右側スライドドアのドア開錠は、携帯通信機１のタッチパネル１１ａを指で左上から右方向にスライドし、そのまま下方向にスライドするジェスチャー動作を行なう。
車両右側スライドドアのドア施錠は、携帯通信機１のタッチパネル１１ａを指で右下から上方向にスライドし、そのまま左方向にスライドするジェスチャー動作を行なう。
車両左側スライドドアのドア開錠は、携帯通信機１のタッチパネル１１ａを指で右上から左方向にスライドし、そのまま下方向にスライドするジェスチャー動作を行なう。
車両左側スライドドアのドア施錠は、携帯通信機１のタッチパネル１１ａを指で左下から上方向にスライドし、そのまま右方向にスライドするジェスチャー動作を行なう。
車両トランクのドア開錠は、携帯通信機１のタッチパネル１１ａを指で下から上方向にスライドするジェスチャー動作を行なう。
車両トランクのドア施錠は、携帯通信機１のタッチパネル１１ａを指で上から下方向にスライドするジェスチャー動作を行なう。
【００４４】
なお、上記のドア制御は操作部１１がタッチパネル１１ａでの説明であるが、操作部１１が携帯電話機のテンキー１１Ａによる操作でも構わない。その場合のジェスチャー動作は次のようになる。
車両右側スライドドアのドア開錠は、テンキー左上から右方向に連続して押し、そのまま下方向に連続して押す。例えば１→２→３→６→９や、４→５→８のように順番に押す。
車両右側スライドドアのドア施錠は、テンキー右下から上方向に連続して押し、そのまま左方向に連続して押す。例えば９→６→３→２→１や、９→６→５のように順番に押す。
車両左側スライドドアのドア開錠は、テンキー右上から左方向に連続して押し、そのまま下方向に連続して押す。例えば３→２→１→４→７や、６→５→８のように順番に押す。
車両左側スライドドアのドア施錠は、テンキー左下から上方向に連続して押し、そのまま右方向に連続して押す。例えば７→４→１→２→３や、８→５→６のように順番に押す。
車両トランクのドア開錠は、テンキー下から上方向に連続して押す。例えば７→４→１や、８→５→２のように順番に押す。
車両トランクのドア施錠は、テンキー上から下方向に連続して押す。例えば１→４→７や、２→５→８のように順番に押す。
【００４５】
なお、実施の形態６のジェスチャー動作は、実施の形態２で述べたタッチパネルの上面を指で時計回りの円弧状にスライド動作を行うことでドアの開錠、反時計回りの円弧状にスライド動作を行うことでドアの施錠を行うようにしたもの、あるいは実施の形態４で述べたテンキーを時計回りの円弧状に連続して押す動作を行うことでドアの開錠、反時計回りの円弧状に連続して押す動作を行うことでドアの施錠を行うようにしたものを変形したに過ぎず、実施の形態２、４のジェスチャー動作に包含される。
【００４６】
このように携帯通信機のタッチパネルを指でスライドしたり、テンキーのボタンを連続して押すことにより、従来用いていたメカニカルなキーでの動作と同じジェスチャー動作で、車両ドアの遠隔操作を行なうことができ、所望の機能を指示できるようにしたので、使い勝手を損なわず、かつ、誤操作が無い携帯通信機が実現でき、車両の各種ドアの制御や車両装備を遠隔操作することができる。
【００４７】
実施の形態７．
上記の実施の形態１〜６はドア制御装置を車両のドアの開錠、施錠の遠隔制御に適用する場合について説明したが、実施の形態７の発明はドア制御装置を住宅用ドアの開錠、施錠の制御に適用したものである。
この場合、ドア側受信機２は住宅用ドアなどに設置している。この実施の形態７に係る携帯通信機１、ドア側受信機２の構成は実施の形態１の図１〜図４と同様のため省略する。
この実施の形態７によれば、携帯通信機１のタッチパネル１１ａを指でスライドしたり、テンキー１１Ａのボタンを連続して押すことにより、住宅用のドア制御を遠隔制御することができる。
【００４８】
以上のようにこの発明は、携帯通信機のタッチパネルを指でスライドしたり、テンキーのボタンを連続して押すことにより、従来用いていたメカニカルなキーでの動作と同じジェスチャーで、ドアの遠隔操作を行なうことができ、所望の機能を指示できるようにしたので、使い勝手を損なわず、かつ、誤操作が無い携帯通信機が実現でき、車両ドアまたは住宅用ドアの制御を遠隔操作することができる。
【００４９】
なお、この発明は携帯通信機のタッチパネルをスライドしたり、テンキーのボタンを押す動作を使用者の指で行ったが、指の代わりにタッチペンを用いてもよい。
また、この発明は、その発明の範囲内において、各実施の形態を自由に組み合わせたり、各実施の形態を適宜、変形、省略することが可能である。
【産業上の利用可能性】
【００５０】
この発明の携帯通信機は車両や住宅のドア制御以外に、例えば、エンジンのスタートやストップ制御に対応したジェスチャー動作を格納しておくことにより車両装備の遠隔制御にも利用できる。
【符号の説明】
【００５１】
１：携帯通信機、    ２：ドア側受信機、    １１：操作部、    １２：記憶部Ａ、  １３：制御部Ａ、  １４：通信制御部Ａ、  １５：Ｄ／Ａ変換器、  １６：スピーカー、  ２１：通信制御部Ｂ、  ２２：記憶部Ｂ、  ２３：制御部Ｂ、  ２４：ドア制御部、  １１ａ：タッチパネル、    １１Ａ：テンキー、  １１ｂ：タッチパネル制御回路、  １１Ｂ：テンキー制御回路。
【図１】
2014088730.tif 000003
【図２】
2014088730.tif 000004
【図３】
2014088730.tif 000005
【図４】
2014088730.tif 000006
【図５】
2014088730.tif 000007
【図６】
2014088730.tif 000008
【図７】
2014088730.tif 000009
【図８】
2014088730.tif 000010
【図９】
2014088730.tif 000011
【図１０】
2014088730.tif 000012
【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
タッチパネルを有し、前記タッチパネルの上面を指でタッチしてドアの開錠または施錠に対応したジェスチャー動作の操作を行うことにより、その操作の位置および操作の方向などの操作信号を送る操作部、ドア制御（開錠または施錠）に対応したジェスチャーデータを予め格納しておく記憶部、前記操作部からの操作信号と前記記憶部のジェスチャーデータを比較し、ジェスチャー動作に応じた操作信号とジェスチャーデータが一致すれば、対応したドア制御信号（開錠または施錠）を送る制御部、前記制御部からのドア制御信号を無線信号に変換し、ドア側受信機に送信する通信制御部を備えた携帯通信機。
【請求項２】
前記ジェスチャー動作は前記タッチパネルの上面を指で左から右へスライド動作を行うことでドアの開錠、右から左へスライド動作を行うことでドアの施錠を行うようにした請求項１に記載の携帯通信機。
【請求項３】
前記ジェスチャー動作は前記タッチパネルの上面を指で時計回りの円弧状にスライド動作を行うことでドアの開錠、反時計回りの円弧状にスライド動作を行うことでドアの施錠を行うようにした請求項１に記載の携帯通信機。
【請求項４】
縦横に配列されたテンキーを有し、前記テンキーの異なる数字キーを連続して押してドアの開錠または施錠に対応したジェスチャー動作の操作を行うことにより、その操作の位置および操作の方向などの操作信号を送る操作部、ドア制御（開錠または施錠）に対応したジェスチャーデータを予め格納しておく記憶部、前記操作部からの操作信号と前記記憶部のジェスチャーデータを比較し、ジェスチャー動作に応じた操作信号とジェスチャーデータが一致すれば、対応したドア制御信号（開錠または施錠）を送る制御部、前記制御部からのドア制御信号を無線信号に変換し、ドア側受信機に送信する通信制御部を備えた携帯通信機。
【請求項５】
前記ジェスチャー動作は前記テンキーを左から右へ連続して押す動作を行うことでドアの開錠、右から左へ連続して押す動作を行うことでドアの施錠を行うようにした請求項４に記載の携帯通信機。
【請求項６】
前記ジェスチャー動作は前記テンキーを時計回りの円弧状に連続して押す動作を行うことでドアの開錠、反時計回りの円弧状に連続して押す動作を行うことでドアの施錠を行うようにした請求項４に記載の携帯通信機。
【請求項７】
前記操作部からの操作信号と前記記憶部のジェスチャーデータを比較し、ジェスチャー動作に応じた操作信号とジェスチャーデータが一致すれば、前記ドア制御信号（開錠または施錠）に対応した音声信号を出力するスピーカーを備えた請求項１から請求項６のいずれか１項に記載の携帯通信機。
【請求項８】
前記請求項１乃至請求項７のいずれか１項に記載の携帯通信機と、車両に搭載されたドア側受信機とで構成され、前記ドア側受信機は前記携帯通信機から送信されたドア制御信号（開錠または施錠）を受信および復調して、車両ドアの開錠および施錠を行うようにしたドア制御装置。
【請求項９】
前記請求項１乃至請求項７のいずれか１項に記載の携帯通信機と、住宅に設けられたドア側受信機とで構成され、前記ドア側受信機は前記携帯通信機から送信されたドア制御信号（開錠または施錠）を受信および復調して、住宅用ドアの開錠および施錠を行うようにしたドア制御装置。
【手続補正２】
【補正対象書類名】明細書
【補正対象項目名】０００３
【補正方法】変更
【補正の内容】
【０００３】
車両でのリモートキーレスシステムとして、車載機と携帯通信機の間で識別データの通信による連携を行うことにより、携帯通信機の操作スイッチを操作することで送信される無線信号により、スイッチ情報に応じたドア制御動作を行う方式が開示されている（特許文献１参照）。
また、ドア制御とは関係ないが、テレビ受像機の操作をリモコンによって行う場合、リモコンに円形のボタンと、ボタン周囲にドーナツ状に配置されたタッチパネルを設け、タッチパネルを指で触れながら時計回りまたは反時計回りにスライドさせたり、十字キーのように上下左右を触ることにより、タッチパネル操作に対応して各種の機能選択項目を選択させたり、番組予約画面の番組を選択して、選択したものをボタン操作により確定するようにしたものが開示されている（特許文献２参照）。
【手続補正３】
【補正対象書類名】明細書
【補正対象項目名】０００７
【補正方法】変更
【補正の内容】
【０００７】
この発明の携帯通信機は、タッチパネルを有し、タッチパネルの上面を指でタッチしてドアの開閉に対応したジェスチャー動作の操作を行うことにより、その操作の位置および操作の方向などの操作信号を送る操作部、ドア制御（開錠または施錠）に対応したジェスチャーデータを予め格納しておく記憶部、操作部からの操作信号と記憶部のジェスチャーデータを比較し、ジェスチャー動作に応じた操作信号とジェスチャーデータが一致すれば、対応したドア制御信号（開錠または施錠）を送る制御部、制御部からのドア制御信号を無線信号に変換し、ドア側受信機に送信する通信制御部を備えたものである。